(57)【要約】【課題】旅行業者、宿泊業者を結びつけ、優れた商品企画を引出し、両者での旅行商品の販売機会を拡大させる。【解決手段】（１）　基本情報サーバー、企画書サーバー、管理サーバーを含み、接続するクライアント端末との間に構築される。（２）作成した企画書を、基本情報検索システムで検索選択した他のクライアントに発信システムで送り、企画書ファイルに保存する。（３）　受け取ったクライアントは、企画書の条件に対し応答情報○×△を応答システムで応答し、応答情報は応答情報ファイルへ、修正した条件は修正条件情報ファイルに保存される。企画書ファイル、応答情報ファイル、修正条件情報ファイルを関連づけて企画書検索システムで検索閲覧できる。（４）管理旅行業者は手数料請求システムで企画書の発信回数をカウントして課金すると共に、応答情報等に基づき成立した契約について手配業務を実施する。【選択図】図１
2004094729.tif 000002
【特許請求の範囲】
【請求項１】
以下のような内容の「基本情報サーバー」「企画書サーバー」「管理サーバー」を含むシステムであって、このシステムに接続する旅行業者及び宿泊業者（以下「クライアント」とする。）の端末との間に構築されるインターネットを利用した旅行業者と宿泊業者との総合情報検索及び手配システム。
（１）　前記「基本情報サーバー」は、「クライアント」から提供される「基本情報」を保存する「基本情報ファイル」、前記「基本情報ファイル」の「基本情報」を検索して閲覧する「基本情報検索システム」
を含む。
（２）　前記「企画書サーバー」は、
一のクライアントが作成した企画書を、他のクライアントに発信する「発信システム」、
発信された企画書を保存する「企画書ファイル」、
前記企画書を受け取ったクライアントが、前記企画書の条件を受け入れるか否かの「応答情報」を送信する「応答システム」、当該「応答情報」を保存する「応答情報ファイル」、
他のクライアントが前記企画書に修正を加えて応答した場合の当該「修正条件情報」を保存する「修正条件情報ファイル」
を含む。
（３）　前記「企画書サーバ」は、前記「企画書ファイル」「応答情報ファイル」「修正条件情報ファイル」を関連づけて検索して閲覧できる「企画書検索システム」を含む。
（４）　管理サーバーは、前記「発信システム」と連動し、クライアント毎の企画書の発信回数をカウントし、所定期間内のカウント数を合計し、各クライアントに対して請求書を発信する「手数料請求システム」を含む。
【請求項２】
「管理サーバー」は、前記「企画書検索システム」に連動し、一の企画書に対して、「手配指示書」を作成する「手配書作成システム」を含む。前記「管理サーバー」は、クライアント内のの一の旅行業者又は他の旅行業者からなる管理旅行業者が接続し、前記「手配書作成システム」に基づく手配を実施し、当該実施状況を管理する「仕入手配管理システム」を含む。ことを特徴とする請求項１記載の旅行業者と宿泊業者との総合情報検索及び手配システム。
【請求項３】
「企画書サーバー」の「発信システム」は、全クライアントへの一斉送信が可能であると共に、「基本情報検索システム」と連動して、
・前回と同じ条件で送信、
・予め設定したお気に入りから選んで送信、
・条件を検索し選択して送信
を選択可能とし、選択した旅行業者又は宿泊業者にのみ発信する、発信先チェック機能を有することを特徴とする請求項１記載の旅行業者と宿泊業者との総合情報検索及び手配システム。
【請求項４】
「応答システム」は、企画書を受け取ったクライアントの選択を、
・企画書のまま承認
・辞退
・修正の上で承認
の３種類を選択可能とし、
修正の上で承認を選択したクライアントに対して、「修正条件情報」作成画面を提供する機能を有する。「手配書作成システム」は、「企画書検索システム」と連動し、一の企画書に対して、企画書のまま承認したクライアントには、「企画書ファイル」の当該企画書の条件を設定し、修正の上で承認を選択したクライアントに対しては、「修正条件情報ファイル」の修正条件情報の条件を設定し、「手配指示書」に反映させる機能を有する。ことを特徴とする請求項１記載の旅行業者と宿泊業者との総合情報検索及び手配システム。
【発明の詳細な説明】
【０００１】
【発明の属する技術分野】
この発明は、旅行業法でいう第１種〜第３種の旅行業及び旅行業者代理業を指す「旅行業者」と、各種ホテル、各種旅館、民宿等の「宿泊業者」との間で展開されるインターネットを利用した旅行業者と宿泊業者との総合情報検索及び手配システム。
【０００２】
【従来の技術】
従来、各旅行業者の内、主催旅行を展開できる旅行業者は、独自に、インターネット上にサイトを開き、一般消費者からツアー等の「旅行企画」を提供して、参加者を募集していた。また、宿泊業者は、独自にインターネット上にサイトを開き、空き部屋情報、料金表、宿泊パック情報等を告知し、一般ユーザに対してネットや電話、ファックス等を通じて、予約を受け付ける集客ビジネスを展開していた。
【０００３】
このように、旅行業者、宿泊業者は、各社毎独自に、インターネット上で営業活動をしていた。また、旅行業者では、一定の連携をとるシステムも提案されていた（特許文献１）。
【０００４】
【特許文献１】特開２００１−２８３１０６
【０００５】
【発明が解決しようとする課題】
しかし、上記特許文献１の技術でも、複数の旅行業者と顧客（一般ユーザ）とを結ぶシステムであり、いわゆるＢ−ｔｏ−Ｂの旅行業者と宿泊業者を結びつけるシステムの提案はなされていない。
【０００６】
とりわけ、旅行業法上、主催旅行の提案募集ができない第３種旅行業者、旅行業者代理業者にとっては、優れた市場価値のある主催旅行の企画があっても営業ができず、新たな営業システムが求められていた。また、規模の小さな旅行業者にとっては、販売網の拡大が求められていた。また、宿泊業者側からは、旅行業者側に積極的に企画の提案がなされ難い状況があった。
【０００７】
【課題を解決するための手段】
然るにこの発明では、旅行業者と宿泊業者とを広く結びつけてシステムを構成するので、優れた企画を吸い上げ、旅行業者と宿泊業者の販売機会を拡大し、一般ユーザに対しては、リアルタイムに優れた旅行商品を提供することを実現した。
【０００８】
即ち、この発明は、以下のような内容の「基本情報サーバー」「企画書サーバー」「管理サーバー」を含むシステムであって、このシステムに接続する旅行業者及び宿泊業者（以下「クライアント」とする。）の端末との間に構築されるインターネットを利用した旅行業者と宿泊業者との総合情報検索及び手配システムである。
（１）　前記「基本情報サーバー」は、「クライアント」から提供される「基本情報」を保存する「基本情報ファイル」、前記「基本情報ファイル」の「基本情報」を検索して閲覧する「基本情報検索システム」を含む。
（２）　前記「企画書サーバー」は、
一のクライアントが作成した企画書を、他のクライアントに発信する「発信システム」、
発信された企画書を保存する「企画書ファイル」、
前記企画書を受け取ったクライアントが、前記企画書の条件を受け入れるか否かの「応答情報」を送信する「応答システム」、当該「応答情報」を保存する「応答情報ファイル」、
他のクライアントが前記企画書に修正を加えて応答した場合の当該「修正条件情報」を保存する「修正条件情報ファイル」を含む。
（３）　前記「企画書サーバ」は、前記「企画書ファイル」「応答情報ファイル」「修正条件情報ファイル」を関連づけて検索して閲覧できる「企画書検索システム」を含む。
（４）　管理サーバーは、前記「発信システム」と連動し、クライアント毎の企画書の発信回数をカウントし、所定期間内のカウント数を合計し、各クライアントに対して請求書を発信する「手数料請求システム」を含む。
【０００９】
また、前記において、「管理サーバー」は、前記「企画書検索システム」に連動し、一の企画書に対して、「手配指示書」を作成する「手配書作成システム」を含む。前記「管理サーバー」は、クライアント内のの一の旅行業者又は他の旅行業者からなる管理旅行業者が接続し、前記「手配書作成システム」に基づく手配を実施し、当該実施状況を管理する「仕入手配管理システム」を含む。ことを特徴とする旅行業者と宿泊業者との総合情報検索及び手配システムである。
【００１０】
また、前記において、「企画書サーバー」の「発信システム」は、全クライアントへの一斉送信が可能であると共に、「基本情報検索システム」と連動して、
・前回と同じ条件で送信、
・予め設定したお気に入りから選んで送信、
・条件を検索し選択して送信
を選択可能とし、選択した旅行業者又は宿泊業者にのみ発信する、発信先チェック機能を有することを特徴とする旅行業者と宿泊業者との総合情報検索及び手配システムである。
【００１１】
更に、前記において、「応答システム」は、企画書を受け取ったクライアントの選択を、
・企画書のまま承認
・辞退
・修正の上で承認
の３種類を選択可能とし、
修正の上で承認を選択したクライアントに対して、「修正条件情報」作成画面を提供する機能を有する。「手配書作成システム」は、「企画書検索システム」と連動し、一の企画書に対して、企画書のまま承認したクライアントには、「企画書ファイル」の当該企画書の条件を設定し、修正の上で承認を選択したクライアントに対しては、「修正条件情報ファイル」の修正条件情報の条件を設定し、「手配指示書」に反映させる機能を有する。ことを特徴とする旅行業者と宿泊業者との総合情報検索及び手配システムである。
【００１２】
【発明の実施の形態】
図１に基づき、この発明のシステムの実施態様を説明する。このシステムは、「基本情報サーバー」「企画書サーバー」「管理サーバー」とインターネットを介してこれらに接続できる旅行業者及び宿泊業者、即ちクライアントの端末から構成される。クライアントは、管理団体より、ＩＤ、パスワードが公布される。
【００１３】
［Ａ］基本情報サーバー
【００１４】
（１）　「基本情報サーバー」は、「基本情報ファイル」「基本総合情報検索システム」を含む。
【００１５】
（２）　システムに加入した旅行業者及び宿泊業者（両者を併せて「クライアント」とする）は、「基本情報サーバー」内の「基本情報ファイル」に、連絡先、施設の説明、料金等を含む「基本情報」を入力する。この際、予め項目毎に記載枠を設けた基本情報シートが用意され、これに入力することにより、容易に統一された「基本情報」を入力できる。
また、「基本情報」は、画像データを含めた詳細情報（客室、料理、風呂等）を追加することもできる。
【００１６】
（３）　旅行業者用の基本情報を入力する旅行代理店情報シートは、例えば、以下のような項目を入力する枠を有する。
【００１７】
○社名
○代理店コード
○登録番号
○社員数
○電話番号（代表、時間外、等）
○ファックス番号
○本社住所
○会社設立年
○総取扱高
○記入責任者名（役職、部署名含む）
○系列企業名
○グループ企業名
○資本金
○代表者名
○役員名
○企業特徴
○ＨＰアドレス
○メールアドレス
○会社組織図、
○事業カテゴリ　　等
【００１８】
また、ここで、例えば、社名、代理店コード、登録番号、電話番号、ファックス番号、メールアドレスを必須の入力データとし、他のデータは任意データとして取り扱うことができる。
【００１９】
旅行代理店情報シートに入力が完了したならば「登録」を選択すれば、「基本情報ファイル」に登録される。
【００２０】
また、「修正」を選択すれば、前記登録内容を修正できる。
【００２１】
（４）また、宿泊業者用画面の基本情報登録画面で、宿泊業者は、宿泊施設情報シートに入力する。宿泊施設情報シートは、基本情報、施設詳細情報１、施設詳細情報２、食事に関する詳細情報、料金に関する詳細情報、に分かれて入力する。
【００２２】
宿泊施設情報シート（基本情報）は、例えば以下の項目を入力する枠を有する。
【００２３】
○宿泊施設名・ふりがな
○施設コード
○種別
○法人名・ふりがな
○代表者名・役職
○担当者名・役職
○創業年
○グループチェーン名
○住所
○現地　電話・ファックス
○営業所　電話・ファックス
○フリーダイヤル番号
○ＨＰアドレス
○メールアドレス
○予約の受付（電話、ファックス、メールの別）
○予約の窓口部署・担当（現地・営業者別）
○施設説明
○交通機関
○送迎（有無、予約の有無、費用、範囲等）
○駐車場（有無、台数、費用）　　等
○チェックイン（アーリーチェックイン含む）
○チェックアウト（レイトチェックアウト含む）
○門限
○特殊サービス（ペット、喫煙、レディス、アレルギー、外国語等）
○隣接施設情報（スキー、海、アミューズメントスポット、病院、銀行等）
○消防　　　等
【００２４】
また、宿泊施設情報シート（施設詳細情報１）では、建物、客室の詳細情報が画像データと共に提供される。また、宿泊施設情報シート（施設詳細情報１）では、お風呂、附帯施設が詳細情報と共に画像データと共に提供される。また、宿泊施設情報シート（会議・宴会・食事）は、各詳細情報と画像データが提供される。
【００２５】
（５）　「基本情報サーバー」内の「基本情報検索システム」は、宿泊施設名（宿泊施設のみ）、旅行代理店名（旅行業者のみ）、キーワード、あるいは、エリア（北海道、東北、関東等）都道府県、施設カテゴリー（宿泊施設のみ）、旅行業種（旅行業者のみ）により、単独であるいは複数項目を関連させて検索できる。
【００２６】
（６）　尚、施設カテゴリーとは、宿泊施設の業務形態で、シティホテル、ビジネスホテル、リゾートホテル、旅館、民宿、ペンション、公営宿舎、から選択できる。また、旅行業種は、旅行業法による業務形態の区分けで、第１種、第２種、第３種、旅行業代理業、から選択できる。
【００２７】
［２］企画書サーバー
【００２８】
（１）　「企画書サーバー」は、「発信システム」「応答システム」「企画書検索システム」「企画書ファイル」「応答情報ファイル」「修正条件情報ファイル」を含む構成である。
【００２９】
（２）　「発信システム」は、クライアントである旅行業者が作成した企画書ａをクライアントの端末から、希望した他のクライアント（宿泊業者）に送信する。同様に、クライアントである宿泊業者が作成した企画書ｂをクライアントの端末から、希望した他のクライアント（旅行業者）に送信する。
【００３０】
この場合、「発信システム」は、
・特定の１つのクライアントを指定して送信する、
・連動する「基本情報検索システム」により検索して、条件にあったクライアントを選択して送信する、
・予め設定した「お気に入り送付先」に登録されたクライアント送信する、ことができる。
【００３１】
また、「発信システム」により発信された企画書は、「企画書ファイル」に自動保存される。
【００３２】
尚、企画書の発信は、通常、旅行業者の企画書ａは宿泊業者へ、宿泊業者の企画書ｂは旅行業に、夫々送信されるが、企画書の内容によっては、旅行業者から旅行業者へ、宿泊業者から宿泊業者へ送信することもできる。
【００３３】
（３）　クライアントは、企画書の作成にあたり、「発信システム」内の「企画書支援システム」により、企画書のひな形（企画書シート）が用意され、項目に対応した枠内に入力するだけで、容易に企画書を作成できる。
【００３４】
（４）「応答システム」は、「発信システム」により企画書ａ（又は企画書ｂ）を見た他のクライアントが、企画書の内容を受けるか否かを判断し、応答する。応答は、予め用意された、
・企画書の通り受け入れる＜○＞。
・企画書を一部修正して受け入れる＜△＞。
・企画書を辞退する＜×＞。
の３種類の応答パターンに従って、これを選択して応答する。
【００３５】
応答した情報は、「応答情報ファイル」に保存される。
【００３６】
また、一部修正して受け入れる場合には、予め企画書と同じ設定項目の白紙の応答シートが用意され、修正事項を入力して、送信する。修正した条件は、「修正条件情報ファイル」に保存される。
【００３７】
（５）　「企画書検索システム」は、１の企画書に対応して「企画書ファイル」「応答情報ファイル」「修正条件情報ファイル」を関連付けると共に、各クライアントは、端末から検索キーで、過去の企画書を検索閲覧できる。
【００３８】
［３］管理サーバー
【００３９】
（１）　「管理サーバー」は、「手数料請求システム」「手配書作成システム」「仕入手配管理システム」を含む。
【００４０】
（２）　「管理サーバー」には、システムを管理する管理旅行業者のみが接続できる。管理旅行業者は、クライアント旅行業者の内の１つ又は複数の旅行業者、あるいは、クライアントとは別の他の旅行業者が担当する。また、管理旅行業者は、通常、第１種の営業資格を持つ旅行業者が担当する。
【００４１】
（３）　「手数料請求システム」は、「発信システム」と連動して、クライアントの企画書発信回数をカウントし、所定期間（たとえば、１ヶ月）のカウント数を合計して、発信回数に応じて発生する請求額を計算し、結果を保存する。また、計算に基づき請求書を作成し、各クライアントに自動発信することもできる。この場合、一の企画書に対する発信先のクライアント数もカウントして、発信先の数に応じた加算額を請求額とすることもできる。
【００４２】
（４）　「手配書作成システム」は、「企画書検索システム」と連動し、一の企画書の条件、または、修正条件情報に基づく修正した条件で、発生する手配業務を指示する手配書を作成する。
【００４３】
手配書に基づき、管理旅行業者は、手配業務を遂行する。
【００４４】
尚、手配業務の遂行状況を入力して、一の企画書に対して進行状況を把握する「仕入手配管理システム」を含めることもできる。
【００４５】
【実施例１】
次に、クライアント端末の画面を中心に、この発明のシステムを説明する（図２〜図５）。
【００４６】
［１］初期画面（図２）
【００４７】
システムの初期画面１５では、システムの説明を宿泊業者向け、旅行業者向けに説明を表示することができる。また、会員は、＜宿泊機関＞１、＜旅行代理店＞２、を夫々選べば、このシステムのクライアントとしての利益を受けることができる。
【００４８】
［２］宿泊機関向け（図３）
【００４９】
（１）　初期画面１５では、予め配布されたログインコードを入力する。
【００５０】
（２）　画面左のメニューバーから＜旅行業者（旅行代理店）の検索＞を選択すれば、「基本情報検索システム」が稼動し、＜※コードＮＯ検索＞３では、コードが予め分かっている場合には、コード番号を入力することにより、求める旅行業者の基本情報を表示できる。基本情報は、各クライアントが提供した「基本情報シート」の内容が表示されるので、統一的な情報が表示され、比較検討が容易である。また、＜※条件入力検索＞４では、検索画面が表示され、検索条件に合った旅行業者が表示される。
【００５１】
これらの画面から、選択表示された旅行業者をお気に入りへの登録し、また選択表示された旅行業者へ、企画書を送信することもできる。これらの画面から、「企画書検索システム」を起動して、選択表示された旅行業者が送信している企画書を閲覧できる。この場合、閲覧し易いように、カテゴリー毎に区枠されて表示できる。
【００５２】
（３−１）　画面左のメニューバーから＜手配情報受信ボックス＞の＜※指名情報一覧＞５を選択すると、「企画書検索システム」を作動させ、ログインされている宿泊機関１社のみに送信されている企画者（受信情報）一覧を表示する機能で、他の宿泊機関は、当該情報を閲覧することはできない。
【００５３】
この画面から、「基本情報検索システム」を作動させて、企画書を送信した旅行業者の基本情報を検索閲覧できる。
【００５４】
また、この画面から、「応答システム」を作動させ、受信した企画書に対する応答情報を送信でき、送信結果は「応答情報ファイル」に保存される。応答情報は、画面に用意された＜この内容で営業依頼する＞＜内容を変更して営業依頼する＞＜今回は辞退します＞いずれかのアイコンを選択することで、対応した返答する送信できる。＜内容を変更して営業依頼する＞では、受信した企画書（設定依頼シート）と同じ書式の白紙シートが表示され、変更する項目の条件のみを入力することで、容易に変更を明示できる。
【００５５】
（３−２）　また、＜手配情報受信ボックス＞の＜※該当情報一覧＞６では、「企画書検索システム」を作動させ、旅行業者からログインしている宿泊機関を含む他の宿泊機関に送られている企画書の情報を表示する。この画面から、同様に、「基本情報検索システム」を作動させて、企画書を送信した旅行業者の基本情報を検索閲覧し、「応答システム」を作動させ、受信した企画書に対する応答情報を送信できる。
【００５６】
（３−３）　また、＜手配情報受信ボックス＞の＜※全情報一覧＞７では、「企画書検索システム」を作動させ、ログインしている宿泊機関には送られていない企画書を含めて、宿泊機関に送られている企画書の情報を表示する。この画面からも、同様に、「基本情報検索システム」を作動させて、企画書を送信した旅行業者の基本情報を検索閲覧し、「応答システム」を作動させ、受信した企画書に対する応答情報を送信できる。
【００５７】
（３−４）　また、＜手配情報受信ボックス＞の＜※条件入力検索＞８では、「基本情報検索システム」を作動させ、該当する旅行業者を選択し、「企画書検索システム」を作動させ、当該旅行業者が発信している企画書を表示できる。この画面からも、同様に、「基本情報検索システム」を作動させて、企画書を送信した旅行業者の基本情報を検索閲覧し、「応答システム」を作動させ、受信した企画書に対する応答情報を送信できる。
【００５８】
（４−１）　また、画面左のメニューバーの＜商品作成＞＜※新規作成＞では、「発信システム」を作動させて、＜主催旅行＞９、＜個人型企画商品＞１０、＜一般団体＞１１、＜外国人旅行＞１２の４つのカテゴリーのアイコンを選択して、企画書を作成できる。
【００５９】
いずれかのカテゴリーを選択すれば、「発信システム」内の「企画書支援システム」が作動し、対応する企画書用のシートが表示され、項目に応じた枠内に入力するだけで、容易に企画書を作成できる。
【００６０】
ここで＜主催旅行＞とは、旅行業者が予め旅行の目的地、日程・内容・価格に関する計画を作成し、旅行を一般に募集して実施する旅行商品で、主に団体型包括旅行をいう。
【００６１】
また、＜個人型企画商品＞は、旅行業者が予め旅行の目的地、日程・内容・価格に関する計画を作成し、旅行を一般に募集して実施する旅行商品で、主に個人型包括旅行をいう。
【００６２】
また、＜一般団体＞は、旅行者（一般消費者）の希望・予算・都合などの委託を受けて、旅行代理店がその実現に向けて旅行プランを作成し、必要な調査や手配をする旅行をいう。一般の旅行団体・教育旅行（林間学校・修学旅行・遠足等）を含む。
【００６３】
また、＜外国人旅行＞とは、海外からのインバウンドツアー用の特別料金を設定し、販売依頼をする。
【００６４】
＜主催旅行＞９の一として、「企画書支援システム」の「主催（募集）型企画商品設定依頼シート」の画面１８を示す（図６）。このシートでは、宿泊機関名、連絡先の他、「情報掲載期間」「設定商品名」「設定除外日」「最大提供可・数（客室・人数）「当料金適用最小数（客室・人数）」「手仕舞日」「プラン特色」「プラン特典」「食事内容（基本情報と同じか、このプラン専用かの別）」「提供料金」等を入力枠内に入力すれば、企画書が作成できるようになっている。
【００６５】
（４−２）　送信は＜条件を選択して送信＞＜一斉送信＞＜お気に入りから選んで送信する＞のアイコンから選択して実行できる。
【００６６】
＜条件を選択して送信＞＜お気に入りから選んで送信する＞を選択すると、「基本情報検索システム」が作動し、選択する旅行業者へ完了した企画書を送信できる。＜一斉送信＞を選択すると、総ての旅行業者に送信できる。
【００６７】
検索後の送信又は＜一斉送信＞を選択すると、「尚、情報送信料として○○○円（税込み）を後日請求させていただきます。よろしければ、以下のボタンを押して送信してください。」というポップアップボックスが表示され、＜送信＞を選択すれば、「発信システム」で、選択した旅行業者に企画書を送信する。
【００６８】
同時に、管理サーバーの「手数料請求システム」が作動し、ログインしている宿泊業者に対応した課金をし、利用明細書を発信する。また、後日、１月分の送信回数を合計して、請求書を発行する。
【００６９】
また、＜送信＞を選択せす、＜登録＞を選択すると、企画書が「未送信データファイル」に一時保存される。
【００７０】
（４−３）　また、＜商品作成＞＜※未送信データ＞１３では、「未送信データファイル」に一時保存された企画書一覧が表示され、内容を修正し又はそのまま、＜※新規作成＞の場合と同様に、企画書一覧から表示した企画書を選択した旅行業者へ送信できる。
【００７１】
（４−４）　＜商品作成＞＜※送信履歴一覧＞１４では、「企画書検索システム」を作動させ、過去に送信した企画書一覧が表示され、選択した企画書の内容を修正し、新たな企画書として＜※新規作成＞の場合と同様に、企画書を選択した旅行業者へ送信できる。
【００７２】
［３］旅行業者向け（図４）
【００７３】
（１）　旅行業者向けの初期画面１７は、予め配布されたログインコードを入力する。
【００７４】
（２）　旅行業者向けの画面でも、画面左のメニューバーに
＜宿泊業者の検索＞
＜※コードＮＯ検索＞３
＜※条件入力検索＞４
＜手配情報受信ボックス＞
＜※指名情報一覧＞５
＜※該当情報一覧＞６
＜※全情報一覧＞７
＜※条件入力検索＞８
＜商品作成＞
＜※新規作成＞
＜主催旅行＞９
＜個人型企画商品＞１０
＜一般団体＞１１
＜外国人旅行＞１２
＜※未送信データ＞１３
＜※送信履歴一覧＞１４
の各機能が用意され、前記宿泊業者用画面と同じ作動をする。
【００７５】
［４］管理旅行業者向け
【００７６】
（１）　管理旅行業者向け画面では、初期画面から＜情報送信・回答管理＞＜ユーザー情報＞＜仕入・手配管理＞が選択できる。
【００７７】
（２）　＜情報送信・回答管理＞画面では、「企画書検索システム」に対応し、最新の企画書情報の送信一覧をアトランダムに検索できる。
【００７８】
（３）　＜ユーザー情報＞画面では、「基本情報検索システム」に連動して、管理用整理された旅行業者又は宿泊施設の一覧を表示すると共に、基本情報シートを表示できる。また、条件検索して、希望する条件のクライアントを表示することができる。
【００７９】
また、「企画書検索システム」「基本情報検索システム」に連動し、各クライアント毎の契約獲得状況、エリア（地方、都道府県等）毎の契約獲得状況を表示でき、クライアントに対して営業上の有用な情報の提供ができる。
【００８０】
また、クライアント毎のシステム加入契約の更新管理ができる。
【００８１】
（４）　＜仕入・手配管理＞画面では、「手配書作成システム」に基づき作成した手配書を閲覧し、「仕入手配管理システム」を起動し、手配書に基づく実施を経過情報として入力し、手配書の実施を管理する。即ち、仕入手配セクションが行う実際の手配業務の管理画面を検索できる。
【００８２】
尚、手配書の作成は、「企画書検索システム」により、回答送信された「企画書ファイル」「応答情報ファイル」「修正条件情報ファイル」から手動作成することもできる。
【００８３】
【発明の効果】
このシステムでは、「基本情報サーバー」「企画書サーバー」「管理サーバー」を介して旅行業者の端末と宿泊業者の端末とをインターネットで結びつけて構成するので、これまで別々に一方的に情報を発信していた旅行業者と宿泊業者とを結びつけ、旅行商品の販売機会を拡大させる効果がある。また、小規模旅行業者や宿泊業者からの旅行商品企画を積極的に引き出す機会を増やす効果がある。
【００８４】
また、一般ユーザーに対しては、優れた旅行商品の企画を多くの旅行業者から提供できる。また、これまでの慣習的な３〜４半期毎の旅行商品の提供に加えて、リアルタイムに季節に合った旅行商品を一般ユーザーに提供できる効果がある。
【００８５】
総じて、旅行業者及び宿泊業者の双方のサービスの向上と活性化を図ることができる。
【図面の簡単な説明】
【図１】この発明のシステムの概要を説明する概念図。
【図２】このシステムのクライアント端末共通の初期画面。
【図３】このシステムの宿泊関係機関用の初期画面。
【図４】このシステムの旅行代理店用の初期画面。
【図５】主催（募集）型企画商品設定依頼シートの入力画面
【符号の説明】
１　　宿泊機関会員ページへ
２　　旅行代理店会員ページへ
３　　コードＮＯ検索
４　　条件入力検索
５　　指名情報一覧
６　　該当情報一覧
７　　全情報一覧
８　　条件情報検索
９　　主催旅行
１０　個人型企画商品
１１　一般団体
１２　外国人旅行
１３　未送信データ
１４　送信履歴一覧
１５　初期画面
１６　宿泊業者用　初期画面
１７　旅行業者用　初期画面
１８　主催（募集）型企画商品設定依頼シート（企画書）
【図１】
2004094729.tif 000003
【図２】
2004094729.tif 000004
【図３】
2004094729.tif 000005
【図４】
2004094729.tif 000006
【図５】
2004094729.tif 000007